(57)【要約】      （修正有）【課題】大量の食品の撹拌において、撹拌時間を短縮化するとともに撹拌する者の疲労度を軽減させ、かつ撹拌時に食品に気泡が取り込まれにくい、業務用にも適した食品撹拌具を提供する。【解決手段】食品撹拌具１００は、食品を撹拌するための撹拌部１０と、片手全体で把持可能な把持部３０と、撹拌部１０と把持部３０とを連携する連携部２０と、を有し、撹拌部１０は、側面視において板状であり、上面視において撹拌部１０の外郭を構成する外枠部１２と、外枠部１２の内側の空間を分割する分割部１４と、を備える。撹拌部１０と接触した食品は、外枠部１２および分割部１４によりせん断されつつ、穴１６を貫通する。これを繰り返すことによって、食品は均一に撹拌される。【選択図】図１
0003231107.tif 000002
【実用新案登録請求の範囲】
【請求項１】
食品を撹拌するための撹拌部と、
片手全体で把持可能な把持部と、
前記撹拌部と前記把持部とを連携する連携部と、を有し、
前記撹拌部は、側面視において板状であり、上面視において当該撹拌部の外郭を構成する外枠部と、当該外枠部の内側の空間を分割する分割部と、を備えることを特徴とする食品撹拌具。
【請求項２】
上面視において、前記外枠部と前記分割部および／または一の前記分割部と当該一の前記分割部に隣り合う他の分割部とから区画され、前記撹拌部の厚み方向に貫通する穴を４つ以上有する請求項１に記載の食品撹拌具。
【請求項３】
前記分割部は、曲線から構成される曲線部であり、
前記曲線部が上面視において周方向に連続する一連のリングであり、
前記リングが２以上設けられている請求項１または２に記載の食品撹拌具。
【請求項４】
２以上の前記リングが、互いが同心となるよう配置されている請求項３に記載の食品撹拌具。
【請求項５】
前記リングが、前記外枠部の内側面に２か所以上連結され固定されている３または４に記載の食品撹拌具。
【請求項６】
前記把持部が、扁平の支持部と、前記支持部の両面側に設けられた肉厚部により構成されているとともに、
前記撹拌部と、前記連携部と、前記支持部とが、一体成形されている請求項１から６のいずれか一項に記載の食品撹拌具。
【請求項７】
前記食品撹拌具の全長が２５ｃｍ以上であり、
前記撹拌部の長手方向の寸法が５ｃｍ以上であり、
前記撹拌部の短手方向の寸法が３ｃｍ以上である請求項１から６のいずれか一項に記載の食品撹拌具。
【請求項８】
前記把持部の全長と前記連携部の全長との比が、把持部全長：連携部全長＝１：０．５〜０．５：１の範囲である請求項１から７のいずれか一項に記載の食品撹拌具。
【請求項９】
前記連携部は、平面視における先端基端方向の中間部において先端側および基端側に対し相対的に細幅のくびれ部を有する請求項１から８のいずれか一項に記載の食品撹拌具。
【請求項１０】
上面視において、前記撹拌部、前記連携部、前記把持部が、Ｓ字状に湾曲しながら連続する請求項１から９のいずれか一項に記載の食品撹拌具。
【考案の詳細な説明】
【技術分野】
【０００１】
本考案は、卵または卵を含む材料、ケーキ用の粉と他の材料、天ぷら粉と水などの食品を手動で撹拌するための食品撹拌具に関し、特には多量の食品の撹拌も容易であり業務上の使用にも適した食品撹拌具に関する。
【背景技術】
【０００２】
従来から、食品を撹拌する道具として、柄と、柄の先端に設けられた複数の線材をそれぞれ輪にしてなる撹拌部とを備える食品撹拌具が知られる。
たとえば、図４に示された従来の食品撹拌具４００のように、ステンレスなどの材料からなる線材４１２の両端が柄４２０の先端に固定されてなる楕円状などの輪４１４を複数有する用具は、従来の典型的な食品撹拌具（以下、従来技術１ともいう）である。上述する複数の線材４１２の端部は柄４２０の先端面において周方向に当間隔で配列され、複数の、立体的な楕円球状あるいはしずく状の輪４１４を構成し、これによって撹拌部４１０が構成される。従来技術１において、その撹拌及び泡立ての能力は、撹拌部４１０を構成する線材４１２の本数に比例すると考えられている。
【０００３】
これに対し、下記特許文献１には、泡立部（撹拌部）を構成する線材として、柔軟性のある合成樹脂からなり所定部分が二分割され左右に拡開された分割細線を用いた食品撹拌具（以下、従来技術２ともいう）が提案されている。
従来技術２は、拡開した部分において、線材が二分割されているため実質的に線材の本数が２倍となる。そのため、従来技術２によれば、線材の本数を増やすことで軽量性が損なわれることなく、泡立機能の優れた泡立器が提供される旨、説明されている。
【０００４】
また下記特許文献２には、柄と、柄の先端に接続するヘッド（撹拌部）とからなり、当該ヘッドが、先端を丸く巻き込んだカール部を備えた線材を複数本、放射状に配置されて構成された撹拌器（以下、従来技術３ともいう）が提案されている。特許文献２には、従来技術３の線材は輪状ではなく各々バラバラに独立して可動できる自由度を有しており、食品等を短時間で良く混ぜることができる旨、説明されている。
【先行技術文献】
【特許文献】
【０００５】
【特許文献１】実昭６４−８３４１号公報
【特許文献２】特開２０１９−１３４５２号公報
【考案の概要】
【考案が解決しようとする課題】
【０００６】
上述する従来技術１から従来技術３は、以下の問題点があった。かかる問題について、生卵の撹拌を例に説明する。
たとえば、卵１〜２個程度の少量を撹拌する場合であれば、従来の食品撹拌具でも充分に撹拌可能である。しかし、卵５〜１０個程度の個数になると、均一に撹拌するまでに時間がかかり、また食品撹拌具を握った腕の疲労度が大きいという問題があった。特に多量の卵を一日に何度も手動で撹拌しなければならない料理人、菓子やパンなどの製造者において、従来の食品撹拌具を業務上で使用した場合、上述する時間と労力の問題が非常に大きかった。しかし、上述のとおり時間と労力の問題が潜在的にありながら、従来技術１等は食品攪拌具として非常にポピュラーな道具であり選択の余地がないものとして、料理人等は上記問題を甘んじて受け止め、従来技術１等を使用し続けているという現状があった。
【０００７】
本考案者は、従来の食品攪拌具が有する潜在的な問題、即ち、撹拌時の時間と労力の問題を見出し、これを食品攪拌具の課題として認識した。そして上記問題について検討したところ、以下のように推察された。即ち、図４に示すとおり、従来の食品撹拌具４００の撹拌部４１０は、全体として立体的な楕円球状あるいはしずく状に構成されており、外形が曲面状をなしている。そのため従来の食品撹拌具４００の撹拌部４１０を複数の卵４６０に対し撹拌方向４５０に動作させると、複数の卵４６０は、各線材４１２の間に入り込むことなく撹拌部４１０の表面に沿って周面方向４７０に滑るように移動しやすく、それ故、撹拌効率が悪いことが推察された。したがって、従来の食品撹拌具４００を用いた場合、均一な卵液を得るまでに時間がかかり、また不均一な状態で撹拌作業を繰りかえすことにより撹拌時の負荷が大きく、腕の疲労度が増大するものと思われた。かかる問題は、たとえば予め卵の黄身を潰した状態としてから撹拌を開始しても同様の傾向にあった。
【０００８】
また従来の食品攪拌具の異なる問題として、従来の食品撹拌具で撹拌された食品は、気泡を含みやすいという問題もあった。即ち、特許文献１にも記載されているとおり、従来技術１〜３のような従来の食品撹拌具は、食品を泡立てることに適している。かかる気泡の問題は、図４を用いて以下のように説明可能である。即ち、立体的に構成された撹拌部４１０において撹拌される食品は、線材４１２間を通過し撹拌部４１０の内部空間に進入し、再度、線材４１２間を通過して当該内部空間の外に出る際に当該食品中に気泡が取り込まれやすいと推察された。
【０００９】
また、従来の食品撹拌具４００は、上述のとおり被撹拌物である食品が、撹拌部４１０の表面に沿って両脇に滑ってしまうことを回避するために、以下のような動作で使用されることが一般的である。つまり、従来の食品撹拌具４００の使用者は、一般的に、柄を握った手のスナップを効かせ、卵などの食品をすくい上げるように撹拌部４１０の少なくとも一部が外気に触れる程度の高さまで斜め上方に移動させ、その後、周回する軌跡をたどりながら下り傾斜方向に降下させる周回運動を連続させながら食品を撹拌する。従来の食品攪拌具をこのように動作させた場合、撹拌効率は多少改善されるが、食品に気泡が多く取り込まれ、あるいは食品の泡立ちが顕著である。たとえば生クリームや、メレンゲなどを作成する場合には、この気泡の取り込み等は有効に働く。一方、茶わん蒸しやきめ細かいパン生地を作成する場合などには、なるべく気泡が取り込まれない方が好ましい。つまり、従来の食品撹拌具４００は、気泡の取り込みを抑え、食品をきめ細やかに仕上げたい場合には、不向きであった。
【００１０】
従来の食品攪拌具が有する上記労力と時間の問題、および上記気泡の問題は、卵の撹拌だけでなく、粉と水分や卵とを撹拌する場合などにも発生しうる。
【００１１】
本考案は上述のような課題に鑑みてなされたものである。即ち、本考案は、大量の食品の撹拌において、撹拌時間を短縮化するとともに撹拌する者の疲労度を軽減させ、かつ撹拌時に食品に気泡が取り込まれにくい、業務用にも適した食品撹拌具を提供するものである。
【課題を解決するための手段】
【００１２】
本考案の食品撹拌具は、食品を撹拌するための撹拌部と、片手全体で把持可能な把持部と、上記撹拌部と上記把持部とを連携する連携部と、を有し、上記撹拌部は、側面視において板状であり、上面視において当該撹拌部の外郭を構成する外枠部と、当該外枠部の内側の空間を分割する分割部と、を備えることを特徴とする。
【考案の効果】
【００１３】
上記構成を備える本考案の食品撹拌具によれば、食品の撹拌時間を短縮可能であり、また撹拌する者の疲労度を軽減させることができ、かつ撹拌時に気泡が食品に取り込まれ難い。そのため、家庭使用はもちろんのこと、多量の食品を何度も撹拌しなければならないような業務上の使用であっても、本考案の食品撹拌付は、短時間かつ均一な食品の撹拌を可能とし、また気泡の取り込みを抑え得る。
【図面の簡単な説明】
【００１４】
【図１】本考案の一実施形態にかかる食品撹拌具の上面図である。
【図２】図１に示す食品撹拌具のII-II断面図である。
【図３】本考案の異なる実施形態にかかる食品撹拌具の上面図である。
【図４】従来の食品撹拌具の問題点を説明する説明図である。
【考案を実施するための形態】
【００１５】
以下、本考案の実施形態について、図面を用いて説明する。すべての図面において、同様の構成要素には同一の符号を付し、重複する説明は適宜に省略する。
本考案の各種の構成要素は、個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等を許容する。
【００１６】
本考案又は本明細書の記載に関し、上面とは、板状の撹拌部の厚み方向から観察される任意の一方側の面を指し、側面とは、厚み方向に対し直交方向から観察される面を指す。また本考案を上面視するとは、撹拌部の板面方向に対し法線方向から本考案を観察する場合を指す。また本考案では、任意の箇所から撹拌部側を先端方向とし、把持部側を基端方向と呼ぶ。
また本考案に関し、撹拌するとは、対象となる食品を混合して均一な状態とすることを広く含み、たとえば当該食品が生卵である場合には、当該生卵を溶いて均一な卵液を調製することを含み、また当該食品が任意の粉および水分を含む他の食品である場合には、それらの食品を均一な状態に混合することを含む。上述する「水分を含む他の食品」とは、水や牛乳などの液状体、または溶かしバターや生卵などの流動体から選択された１以上の食品を指す。
【００１７】
以下に、本考案の食品撹拌具の一実施形態について図１および図２を用いて説明する。図１は、本考案の一実施形態にかかる食品撹拌具１００の上面図である。図２は、図１に示す食品撹拌具１００のII-II断面図である。ここでいうII-II断面とは、図１に示す一点破線で示すラインで切断されて形成された断面であり、より具体的には、撹拌部先端１０１と撹拌部基端１０２とを結んだ線、撹拌部基端１０２と把持部先端１０３を結んだ線、把持部先端１０３と把持部基端１０４を結んだ線において、厚み方向に食品撹拌具１００を切断してなる断面を指す。
【００１８】
はじめに、本実施形態の食品撹拌具の概要について説明する。
図１に示すように、食品撹拌具１００は、食品を撹拌するための撹拌部１０と、使用者の片手全体で把持可能な把持部３０と、撹拌部１０と把持部３０とを連携する連携部２０と、を有して構成されている。
攪拌部１０は、上面視において、撹拌部１０の外郭を構成する外枠部１２と、外枠部１２の内側の空間を分割する分割部１４と、を備える。また図２に示すとおり、食品撹拌具１００は、少なくとも撹拌部１０が側面視において板状である。本実施形態では、攪拌部１０に加え、連携部２０および把持部３０も板状に構成され、全体が扁平に構成されている。しかし、本考案は、攪拌部１０を除く他の部位が非板状に構成された態様を包含する。
【００１９】
かかる構成を備える食品撹拌具１００を用いて撹拌する場合、被撹拌物である食品に対し、撹拌部１０の板面をぶつけるように接触させることができる。撹拌部１０と接触した食品は、撹拌部１０に設けられた外枠部１２および分割部１４によってせん断されつつ、撹拌部１０を通過する。この動作を繰り返すことによって、食品撹拌具１００は効率よく短時間で食品を撹拌することが可能である。つまり、本考案は、従来の食品撹拌具のように撹拌部１０の外形のフォルムが曲面状ではないので、撹拌部１０の板面方向に食品を逃がし難く、撹拌効率が良い。
【００２０】
また食品撹拌具１００は、撹拌部１０の厚み方向に食品を通過させることによって当該食品をせん断しつつ撹拌するため、空気との接触が従来の食品攪拌具に比べて少ない。そのため、食品撹拌具１００を用いて食品を撹拌した場合、当該食品に気泡が取り込まれにくく、また当該食品の泡立ちを良好に抑えることが可能である。
【００２１】
次に、本実施形態の食品撹拌具１００の構成について詳細に説明する。
本実施形態にかかる食品撹拌具１００の寸法は、特に限定されないが、業務用に使用可能とするという観点からは、以下に説明する範囲のサイズであることが望ましい。
食品撹拌具１００の全長Ｌ１は、２５ｃｍ以上であることが好ましく、２７．５ｃｍ以上であることがより好ましく、２９ｃｍ以上であることがさらに好ましい。上記範囲の全長Ｌ１を有する食品撹拌具１００は、片手全体で把持可能な把持部３０を確保しつつ、撹拌部１０の大きさも充分に大きくすることができる。
【００２２】
撹拌時の疲労度を軽減しつつ大量の食品を効率よく短時間で撹拌可能とするという観点からは、撹拌部１０の長手方向の寸法Ｌ２は、５ｃｍ以上であることが好ましく、６ｃｍ以上であることがより好ましく、７ｃｍ以上であることがさらに好ましく、また撹拌部１０の短手方向の寸法Ｌ３は、３ｃｍ以上であることが好ましく、４ｃｍ以上であることがより好ましく、５ｃｍ以上であることがさらに好ましい。撹拌部１０が上述する寸法範囲で構成されることによって、たとえば鶏卵を５個から１５個程度の食品を、疲労度を抑えつつ短時間で撹拌することが可能である。
【００２３】
食品撹拌具１００の全長Ｌ１、撹拌部１０の長手方向の寸法Ｌ２、および撹拌部１０の短手方向の寸法Ｌ３の上限は特に限定されないが、手動で食品を撹拌する際の取り扱い性や全体重量が重くなりすぎないといったことを考慮した場合、食品撹拌具１００の全長Ｌ１は、４０ｃｍ以下であることが好ましく、撹拌部１０の長手方向の寸法Ｌ２は９ｃｍ以下であることが好ましく、撹拌部１０の短手方向の寸法Ｌ３は７ｃｍ以下であることが好ましい。
【００２４】
本考案の所期の課題をより良好に解決することができるという観点からは、特に、食品撹拌具１００の全長Ｌ１が２５ｃｍ以上であり、撹拌部１０の長手方向の寸法Ｌ２が５ｃｍ以上であり、かつ撹拌部１０の短手方向Ｌ３の寸法が３ｃｍ以上であることが好ましい。
【００２５】
また撹拌時に把持部３０を握った方の手または腕の動きを小さく抑えつつ良好な撹拌効率を得るという観点からは、把持部３０の全長Ｌ４と連携部２０の全長Ｌ５との比が、把持部全長Ｌ４：連携部全長Ｌ５＝１．０：０．５〜０．５：１．０の範囲であることが好ましく、１．０：０．６〜０．６：１．０であることがより好ましく、１．０：０．７〜０．７：１．０であることがさらに好ましく１．０：０．８〜０．８：１．０であることが特に好ましい。かかる比率の範囲が実現されることで、把持部３０を握る手を軽く左右に動かすだけでも、撹拌部１０の動作を充分に大きくすることができ、撹拌時の疲労度を軽減しつつ効率よく食品を撹拌することが可能である。
【００２６】
また、図１に示すとおり、本実施形態の食品撹拌具１００は、上面視において、撹拌部１０、連携部２０、把持部３０が、Ｓ字状に湾曲しながら連続している。ここで「Ｓ字状に湾曲する」とは、食品撹拌具１００が、撹拌部１０の幅方向の中心線を水平方向にみたときに、連携部２０の伸長方向が緩やかに上り傾斜するよう撹拌部１０と連携部２０との境で屈曲するとともに、かかる連携部２０に対し、把持部１０の伸長方向が緩やかに下り傾斜するよう連携部２０と把持部１０との境界において屈曲している状態を意味する。尚、撹拌部１０の幅方向とは、上面視において撹拌部１０の先端基端方向に対し垂直方向を指す。
このようにＳ字状に湾曲する食品撹拌具１００によれば、椀状のボウル等に被撹拌物である食品を入れて撹拌する際、食品撹拌具１００を当該ボウルの内壁面に接触させずにスムーズに撹拌動作を行うことが容易であり、好ましい。
【００２７】
ただし、本考案は、上述するＳ字状に湾曲する食品撹拌具１００に限定されない。本考案は、たとえ図３に示すように、撹拌部１０の先端（撹拌部先端１０１）から、把持部３０の基端（把持部基端１０４）までを結んでなる長軸１０５を介して、上面視において左右対称である直線状の食品撹拌具２００を包含する。
【００２８】
（撹拌部）
次に撹拌部１０について説明する。
撹拌部１０は、食品を撹拌するための部位であり、図２に示すとおり側面視において板状である。食品撹拌具１００が、従来の食品撹拌具よりも撹拌効率が良好である理由は、不明であるが、本考案者は、板状の撹拌部１０を厚み方向に移動させて被撹拌物である食品と接触させた場合、食品と撹拌部１０とが面接触するので、従来に比べ食品が撹拌部１０を避けて逃げにくく、撹拌部１０の動作により生じる力が食品に伝達されやすいためであると推測する。
【００２９】
側面視において板状である撹拌部１０は、上面視において、撹拌部１０の外郭を構成する外枠部１２と、外枠部１２の内側の空間を分割する分割部１４を有する。図１から理解されるとおり、上面視において、外枠部１２と分割部１４との間、一の分割部１４とこれに隣り合う他の分割部１４との間は、撹拌部１０の厚み方向に貫通する穴１６が形成されている。撹拌部１０と接触した食品は、外枠部１２および分割部１４によりせん断されつつ、穴１６を貫通する。これを繰り返すことによって、食品は均一に撹拌される。
【００３０】
上述のとおり食品と撹拌部１０とが面接触し、当該食品が穴１６を通過することで撹拌される撹拌動作は、板状の撹拌部１０の両面で行うことができる。つまり、食品が入ったボウルなどに撹拌部１０を突入させ、撹拌部１０の面方向を略垂直方向に起立させた状態とする。そしてその状態の撹拌部１０を水平な一方向（たとえば右方向）に移動させて、次いで、当該方向とは逆の方向（たとえば左方向）に移動させることで、板状の撹拌部１０の両面で撹拌動作を行うことができる。このように食品撹拌具１００は、少ない動きで、繰り返し食品をせん断し撹拌することができるため、撹拌効率がよく短時間で食品を均一に撹拌することが可能であると推察される。
以上のとおり食品撹拌具１００は、従来に比べ、短時間で均一な撹拌状態を実現可能である。そのため、撹拌時間が短くなるという点で、撹拌する者の疲労度を軽減することができる。加えて食品撹拌付１００は、撹拌作業を開始して早い段階で、食品のせん断が充分になされうる。そのため、撹拌作業の中間段階で撹拌部１０と食品とが接触した際の抵抗が小さくなり、撹拌するための力が軽減され、これによって撹拌する者の疲労度が軽減され得る。
ただし、上述する説明は、本考案の食品撹拌具の攪拌動作（動かし方）を限定するものではない。
【００３１】
本実施形態において、撹拌部１０を構成する外枠部１２および分割部１４は、側面視において同一の厚みで構成されている。上面視において外枠部１２の幅寸法の方は、分割部１４の幅寸法よりも大きい。また上面視において、外枠部１２は、先端側は幅寸法が同一の細状部であって、基端側は、連携部２０に向けて幅寸法が拡張している。外枠部１２の  内側面は、略卵型に開口しており、かかる開口を複数の穴１６に分割するために分割部１４が設けられている。
【００３２】
分割部１４の寸法および形状は特に限定されない。本実施形態における分割部１４は、外枠部１２の幅寸法以下の細さの幅寸法を有する線状部である。かかる分割部１４の幅寸法は特に限定されないが、例えば０．４ｍｍ以上１．２ｍｍ以下であることが好ましく、０．５ｍｍ以上１．０ｍｍ以下であることがより好ましく、０．６ｍｍ以上０．８ｍｍ以下であることが特に好ましい。幅寸法を０．４ｍｍ以上とすることで、手などが接触した際に怪我などが発生し難く、また１．０ｍｍ以下とすることで、食品を良好にせん断し易い。ここでいう幅寸法とは、攪拌部１０を上面視した際の分割部１４の線幅を指す。
【００３３】
上面視において、線状部である分割部１２は、直線であってもいし、曲線であってもいし、任意の形状（たとえばハートなど）を模したラインを示してもよい。たとえば図１に示すように、分割部１２の少なくとも一部が曲線であることは好ましい一例である。
【００３４】
食品撹拌具１００は、上面視において、外枠部１２と分割部１４および／または一の分割部１４と一の分割部１４に隣り合う他の分割部１４とから区画され、撹拌部１０の厚み方向に貫通する穴１６を有する。かかる穴１６は、短時間に食品を均一に撹拌可能とするという観点からは４つ以上有することが好ましく、５つ以上有することがより好ましい。
【００３５】
本考案の好ましい態様の１つとして、分割部１４は、曲線から構成される曲線部であり、かかる曲線部が、上面視において周方向に連続するリングであることが好ましく、当該リングが２以上設けられていることがより好ましい。分割部１４であるリングが複数設けられることで、穴１６の数が多くなり、攪拌部１０を通過する食品のせん断性を上げることができる。
本実施形態では具体的には図１に示すとおり、略真円状の第一リング１４Ａおよび略楕円形状の第二リング１４Ｂがリング１４として設けられている。
【００３６】
分割部１４としてリング（図１では第一リング１４Ａ、第二リング１４Ｂ）が２以上設けられる態様において、これらのリングは、図１に示す略真円状の第一リング１４Ａと、第一リングの直径と略等しい長軸を有する略楕円形状の第二リング１４Ｂが互いに同心となるよう配置されていることが好ましい。図示省略する別の態様としては、直径の異なる２つのリングが外枠部１２の内側において、互いが一部重なり合うよう配置されていてもよい。このような態様では、外枠部１２の内側に多数の穴１６が形成されるため、攪拌効率が向上しうる。
【００３７】
分割部１４として外枠部１２の内部に設けられた上記リングは、外枠部１２の内側面に連結され固定されるとよく、安定性および破損防止の観点からは、外枠部１２の内側面に２か所以上連結され固定されていることが望ましい。本実施形態では、真円状の第一リング１４Ａの内側面間の直径と、楕円状の第二リング１４Ｂの外側面間の長径とが略等しく、第一リング１４Ａの内側に第二リング１４Ｂがぴったりと入り込むとともに互いが同心となるよう配置されている。そして、楕円状の第二リング１４Ｂの長径の両端において、第一リング１４Ａ、第二リング１４Ｂおよび外枠１２の内側面が連結され互いに固定されている。尚、ここでいう「連結」とは、互いが固定されている状態を広く含み、たとえば、溶融接合等の任意の接合手段で外枠１２とは別体として形成された第一リング１４Ａおよび第二リング１４Ｂと、外枠１２とを接合した状態、および一の板状部材（たとえば一枚のステンレス板）を用い、外枠部１２の外径および所定形状の穴１６を打ち抜くことによって、外枠部１２および複数のリングである分割部１４が一体成形されたいずれの状態でもよい。
【００３８】
（把持部）
把持部３０は、食品撹拌具１００を使用する際に使用者が握る部分であり、片手全体で握る程度の大きさを有する。このように片手全体で食品撹拌具１００をしっかりと握ることができるため、大量の食品を撹拌する際にも腕の力を撹拌部１０に伝えやすく、良好に撹拌が実施される。本実施形態では、上面視において、把持部３０の長さ方向の一方側の側面に、連続する複数の指状凹部３４が設けられている。食品撹拌具１００を使用する者は複数の指状凹部３４のそれぞれに指を当てた状態で把持部３０を握ることによって、しっかりと食品撹拌具１００を把持することができる。
【００３９】
把持部３０の形状および構成は特に限定されない。
本実施形態における把持部３０は、図２に示されるように、扁平の支持部４０と、支持部４０の両面側に設けられた肉厚部３２により構成されている。このように肉厚部３２を設けることによって扁平の支持部４０に対し厚みを授け、握りやすくしている。本実施形態では、肉厚部３２の外縁は、上面視において支持部３０の外縁と等しくなるよう形成されている。したがって、把持部３０の厚み方向における側面は面一になっている。肉厚部３２を構成する材料は特に限定されず、ステンレス、アルミ、樹脂、木材、コルク等の種々の材料を挙げることができる。中でも、アルミ、樹脂、木材、コルク等の比較的軽量の材料から肉厚部３２を構成するとよい。
肉厚部３２の厚みは、特に限定されず、２枚の肉厚部３２の厚みと、これらに挟まれる支持部４０の厚みとの和が、６ｍｍ以上１２ｍｍ以下の範囲であることが好ましく、７ｍｍ以上１０ｍｍ以下の範囲であることがより好ましい。
【００４０】
本実施形態では、上述する支持部４０は、撹拌部１０および連携部２０とともに、一体成形されている。換言すると、攪拌部１０、連携部２０、および支持部４０は一連一体である。
たとえば、一枚の板状物を用い、撹拌部１０、連携部２０、および支持部４０を型押しするなどして所定形状に繰り抜くことでこれらを一体成形することができる。上記板状物を構成する材料は特に限定されないが、たとえばステンレス、またはアルミなどの防錆性に優れた金属材料からなる金属板が好ましい。
別の手段としては、硬質樹脂などを溶融させ所定の型枠に流し込む手段、あるいはセラミックスを切削等により所望の形状に加工する手段などによって、撹拌部１０、連携部２０、および支持部４０を一体成形することも可能である。
強度、加工性、および適度な重量性などの観点からステンレスからなる板状物を用いて撹拌部１０、連携部２０、および支持部４０が一体成形されていることが好ましい。上述でいう適度な重量性とは、軽すぎて撹拌の際に食品に対し力が伝えにくいこと、および重すぎて使用者の疲労度が増大することのいずれも回避可能な重さのことをいう。
一体成形された攪拌部１０、連携部２０、および支持部４０の厚みは、食品撹拌具１００の強度を勘案して、２ｍｍ以上５ｍｍ以下であることが好ましい。
【００４１】
上述するとおり、撹拌部１０、連携部２０、および支持部４０は、一体成形されており、かつ支持部４０の両面に肉厚部３２が設けられることで把持部３０が形成された本実施形態の食品撹拌具１００は、製造部品の点数が少なく構成も単純化されており、製造上有利であるとともに、洗いやすく清潔に保ちやすい。
【００４２】
（連携部）
上述する撹拌部１０と把持部３０との間には、これらを連携する連携部２０が設けられている。連携部２０は、撹拌部１０の安定性および食品撹拌具１００の強度を考慮して設計されるとよい。連携部２０が設けられることで、撹拌時、把持部３０を握る手が食品に触れにくく衛生上好ましい。
たとえば、連携部２０は、板状の撹拌部１０と一体成形されてもよい。つまり連携部２０も側面視において板状とすることができる。また図示省略する別の態様として、把持部３０および連携部２０は、一連の棒状体などから構成されてもよい。棒状体とは、たとえば、円柱や四角柱などが挙げられるが、これに限定されない。
本考案において、把持部３０と連携部２０は図１に示すとおり境界がはっきりしている態様であってもよいし、境界が不明瞭な態様であってもよいし、実質的に境界がない態様であってもよい。食品攪拌具１００の攪拌部１０とは反対側の端部が把持部基端１０４となり、この把持部基端１０４寄りを片手全体で握ったときに、握った手と攪拌部基端１０２との間に有意に連携部２０が確保されればよい。ここでいう有意とは所定の長さに特定されるものではなく、握る手の大きさなどによっても変わるが、たとえば成人の男性が握った場合に連携部２０が５ｃｍ以上確保されることが好ましく、７ｃｍ以上確保されることがより好ましく、９ｃｍ以上確保されることがさらに好ましく、１０ｃｍ以上確保されることが特に好ましい。
【００４３】
撹拌時に連携部２０が攪拌の妨げとならないように配慮するという観点からは、連携部２０は、平面視における先端基端方向の中間部において先端側および基端側に対し相対的に細幅のくびれ部２０が設けられているとよい。
特に上述するように連携部２０が、側面視において板状である場合、かかる連携部２０の先端側の板面の面積があまり大きすぎると、撹拌時の抵抗になる虞がある。これを回避するために、くびれ部２０を設け、連携部２０の板面の面積を減量するとよい。
また撹拌時の抵抗を回避するという観点から、図示省略する変形例として、連携部２０の先端基端方向中間部に厚み方向に貫通する貫通部を設けてもよい。
【００４４】
以上に、本考案の食品撹拌具を説明したが、本考案は上述の実施形態に限定されるものではなく、本考案の目的が達成される限りにおける種々の変形、改良等の態様を含む。
【実施例】
【００４５】
実施例１として、図１に示すデザインの食品撹拌具を作成した。寸法は、Ｌ１＝２９４．８５ｍｍ、Ｌ２＝７１．６３ｍｍ、Ｌ３＝５１．２５ｍｍ、Ｌ４＝１２４．０１、くびれ部の幅寸法Ｌ６＝１５．４ｍｍ、支持部の厚み３ｍｍおよび各肉厚部の厚み３ｍｍとして把持部全体の厚み９ｍｍとした。肉厚部はアルミで構成し、それ以外の部分はステンレスで構成した。
一方、比較例１として、市販の食品撹拌具（従来の食品撹拌具）を調達した。比較例１として用いた食品撹拌具は、全長３３０ｍｍ、柄の長さ１２６ｍｍ、柄の直径２３ｍｍ、撹拌部の長さ２０４ｍｍ、撹拌部の最大幅寸法８５ｍｍ、撹拌部を構成する線材の本数７本（輪が７個）の構成であった。
【００４６】
上述する実施例１および比較例１を用い、以下のとおり評価を行った。尚、評価は、日常的に料理を行う成人女性（試験者１）と、日常的に料理を行わない成人男性（試験者２）とにより行われた。評価結果は表１に示す。
【００４７】
（卵の撹拌試験）
実施例１：
ステンレス製のボウルに生の鶏卵を５つ割り入れ、黄身を潰した後、実施例１の食品撹拌後を用い３０秒間連続的に撹拌した。撹拌は、撹拌部の面方向を略垂直に保ち、水平方向に往復させる動作で行った。
【００４８】
比較例１：
ステンレス製のボウルに生の鶏卵を５つ割り入れ、黄身を潰した後、比較例１の食品撹拌後を用い３０秒間連続的に撹拌した。撹拌は、比較例１の柄を握った手の手首のスナップを効かせ、撹拌部を下から斜め上方に移動させ周回の軌跡をたどりながら斜め下り方向に移動させる周回運動を繰りかえす動作で行った。
【００４９】
上述のとおり３０秒間撹拌した後、実施例１、比較例１それぞれにより撹拌された卵液の状態を肉眼で観察し、以下のとおり評価した。
〇・・・・・卵液の表面にほとんど泡がなかった。
×・・・・・卵液の表面に多数の泡が発生していた。
【００５０】
表１に示すとおり、実施例１を用いて得られた卵液の表面にはほとんど泡がなく、泡立ちが抑えられることが確認された。一方、比較例１は卵液の表面に多数の泡が発生しており、泡立ちや気泡の取り込みが顕著であることが確認された。
【００５１】
（薄焼き卵試験）
上述のとおり実施例１および比較例１を用いて撹拌後の泡立ち観察に用いた卵液から１００ｍｌ採取し、熱したフライパン上に流し込み、中火で全体が乾いた状態になるまで焼いて、薄焼き卵を作成した。作成された薄焼き卵を上面から肉眼で観察し、以下のとおり評価した。
〇・・・・・表面全体が均一な黄色であった。
×・・・・・表面に白い点状部分が散見された。
【００５２】
実施例１を用いて得られた卵液により作成された薄焼き卵は、全体的に黄色であり、卵液が均一に撹拌されたことが確認された。一方、比較例１を用いて得られた卵液により作成された薄焼き卵は、表面に卵の白味の残りからなる白い点状部分が散見さて、卵液の撹拌状態が不十分であることが確認された。これらは同一の撹拌時間で行われた評価であることから、実施例１を用いた撹拌の方が、短時間で良好に撹拌できることが確認された。
【００５３】
（ホットケーキミックス撹拌試験）
実施例１：
ステンレス製のボウルに、ホットケーキミックス（森永製菓株式会社製、商品名：ホットケーキミックス）１５０ｇと、鶏卵１個、牛乳１００ｍｌを入れた。黄身を潰した後、実施例１を使用し３０秒間連続的に撹拌した。撹拌の態様は、上述する撹拌試験における実施例１の撹拌と同様にした。
【００５４】
比較例１：
ステンレス製のボウルに、ホットケーキミックス（森永社製、商品名：ホットケーキミックス）１５０ｇと、鶏卵１個、牛乳１００ｍｌを入れた。黄身を潰した後、比較例１を使用し３０秒間連続的に撹拌した。撹拌の態様は、上述する撹拌試験における比較例１の撹拌と同様にした。
【００５５】
上述のとおり３０秒間撹拌した後、実施例１、比較例１それぞれを用いた際の疲労度を以下のとおり評価した。尚、疲労度を公平に評価するために、まず比較例１を用いた撹拌試験を行い、その後、１０分間休憩した後、実施例１を用いた撹拌試験を行った。
評価は、比較例１を用いて行った撹拌試験における疲労度を基準とし、実施例１を用いて行った撹拌試験の際の疲労度を以下のとおり評価した。
〇・・・・・疲労度は、比較例１を用いて行った撹拌試験よりも小さかった。
×・・・・・疲労度は、比較例１を用いて行った撹拌試験と同程度以上であった。
【００５６】
実施例１を用いた場合の方が、比較例１を用いた場合に比べ疲労度が小さいことが確認された。
【００５７】
【表１】
0003231107.tif 000003
【００５８】
上述する本考案は、以下の技術思想を包含するものである。
（１）食品を撹拌するための撹拌部と、
片手全体で把持可能な把持部と、
前記撹拌部と前記把持部とを連携する連携部と、を有し、
前記撹拌部は、側面視において板状であり、上面視において当該撹拌部の外郭を構成する外枠部と、当該外枠部の内側の空間を分割する分割部と、を備えることを特徴とする食品撹拌具。
（２）上面視において、前記外枠部と前記分割部および／または一の前記分割部と当該一の前記分割部に隣り合う他の分割部とから区画され、前記撹拌部の厚み方向に貫通する穴を４つ以上有する上記（１）に記載の食品撹拌具。
（３）前記分割部は、曲線から構成される曲線部であり、
前記曲線部が上面視において周方向に連続する一連のリングであり、
前記リングが２以上設けられている上記（１）または（２）に記載の食品撹拌具。
（４）２以上の前記リングが、互いが同心となるよう配置されている上記（３）に記載の食品撹拌具。
（５）前記リングが、前記外枠部の内側面に２か所以上連結され固定されている（３）または（４）に記載の食品撹拌具。
（６）前記把持部が、扁平の支持部と、前記支持部の両面側に設けられた肉厚部により構成されているとともに、
前記撹拌部と、前記連携部と、前記支持部とが、一体成形されている上記（１）から（６）のいずれか一項に記載の食品撹拌具。
（７）前記食品撹拌具の全長が２５ｃｍ以上であり、
前記撹拌部の長手方向の寸法が５ｃｍ以上であり、
前記撹拌部の短手方向の寸法が３ｃｍ以上である上記（１）から（６）のいずれか一項に記載の食品撹拌具。
（８）前記把持部の全長と前記連携部の全長との比が、把持部全長：連携部全長＝１：０．５〜０．５：１の範囲である上記（１）から（７）のいずれか一項に記載の食品撹拌具。
（９）前記連携部は、平面視における先端基端方向の中間部において先端側および基端側に対し相対的に細幅のくびれ部を有する上記（１）から（８）のいずれか一項に記載の食品撹拌具。
（１０）上面視において、前記撹拌部、前記連携部、前記把持部が、Ｓ字状に湾曲しながら連続する上記（１）から（９）のいずれか一項に記載の食品撹拌具。
【符号の説明】
【００５９】
１０・・・撹拌部
１２・・・外枠部
１４・・・分割部
１４Ａ・・・第一リング
１４Ｂ・・・第二リング
１６・・・穴
２０・・・連携部
２２・・・くびれ部
３０・・・把持部
３２・・・肉厚部
３４・・・指状凹部
４０・・・支持部
１００、２００・・・食品撹拌具
１０１・・・撹拌部先端
１０２・・・撹拌部基端
１０３・・・把持部先端
１０４・・・把持部基端
１０５・・・長軸
４００・・・従来の食品撹拌具
４１０・・・撹拌部
４１２・・・線材
４１４・・・輪
４２０・・・柄
４５０・・・動作方向
４６０・・・卵
４７０・・・周面方向
Ｌ１・・・食品撹拌具１００の全長
Ｌ２・・・撹拌部１０の長手方向の寸法
Ｌ３・・・撹拌部１０の短手方向の寸法
Ｌ４・・・把持部全長
Ｌ５・・・連携部全長
Ｌ６・・・くびれ部幅寸法
【図１】
0003231107.tif 000004
【図２】
0003231107.tif 000005
【図３】
0003231107.tif 000006
【図４】
0003231107.tif 000007
【手続補正書】
【提出日】令和3年1月7日(2021.1.7)
【手続補正１】
【補正対象書類名】実用新案登録請求の範囲
【補正対象項目名】全文
【補正方法】変更
【補正の内容】
【実用新案登録請求の範囲】
【請求項１】
食品を撹拌するための撹拌部と、
片手全体で把持可能な把持部と、
前記撹拌部と前記把持部とを連携する連携部と、を有し、
前記撹拌部は、側面視において板状であり、上面視において当該撹拌部の外郭を構成する外枠部と、当該外枠部の内側の空間を分割する分割部と、を備えることを特徴とする食品撹拌具。
【請求項２】
上面視において、前記外枠部と前記分割部および／または一の前記分割部と当該一の前記分割部に隣り合う他の分割部とから区画され、前記撹拌部の厚み方向に貫通する穴を４つ以上有する請求項１に記載の食品撹拌具。
【請求項３】
前記分割部は、曲線から構成される曲線部であり、
前記曲線部が上面視において周方向に連続する一連のリングであり、
前記リングが２以上設けられている請求項１または２に記載の食品撹拌具。
【請求項４】
２以上の前記リングが、互いが同心となるよう配置されている請求項３に記載の食品撹拌具。
【請求項５】
前記リングが、前記外枠部の内側面に２か所以上連結され固定されている３または４に記載の食品撹拌具。
【請求項６】
前記把持部が、扁平の支持部と、前記支持部の両面側に設けられた肉厚部により構成されているとともに、
前記撹拌部と、前記連携部と、前記支持部とが、一体成形されている請求項１から５のいずれか一項に記載の食品撹拌具。
【請求項７】
前記食品撹拌具の全長が２５ｃｍ以上であり、
前記撹拌部の長手方向の寸法が５ｃｍ以上であり、
前記撹拌部の短手方向の寸法が３ｃｍ以上である請求項１から６のいずれか一項に記載の食品撹拌具。
【請求項８】
前記把持部の全長と前記連携部の全長との比が、把持部全長：連携部全長＝１：０．５〜０．５：１の範囲である請求項１から７のいずれか一項に記載の食品撹拌具。
【請求項９】
前記連携部は、平面視における先端基端方向の中間部において先端側および基端側に対し相対的に細幅のくびれ部を有する請求項１から８のいずれか一項に記載の食品撹拌具。
【請求項１０】
上面視において、前記撹拌部、前記連携部、前記把持部が、Ｓ字状に湾曲しながら連続する請求項１から９のいずれか一項に記載の食品撹拌具。
【手続補正２】
【補正対象書類名】明細書
【補正対象項目名】００５８
【補正方法】変更
【補正の内容】
【００５８】
上述する本考案は、以下の技術思想を包含するものである。
（１）食品を撹拌するための撹拌部と、
片手全体で把持可能な把持部と、
前記撹拌部と前記把持部とを連携する連携部と、を有し、
前記撹拌部は、側面視において板状であり、上面視において当該撹拌部の外郭を構成する外枠部と、当該外枠部の内側の空間を分割する分割部と、を備えることを特徴とする食品撹拌具。
（２）上面視において、前記外枠部と前記分割部および／または一の前記分割部と当該一の前記分割部に隣り合う他の分割部とから区画され、前記撹拌部の厚み方向に貫通する穴を４つ以上有する上記（１）に記載の食品撹拌具。
（３）前記分割部は、曲線から構成される曲線部であり、
前記曲線部が上面視において周方向に連続する一連のリングであり、
前記リングが２以上設けられている上記（１）または（２）に記載の食品撹拌具。
（４）２以上の前記リングが、互いが同心となるよう配置されている上記（３）に記載の食品撹拌具。
（５）前記リングが、前記外枠部の内側面に２か所以上連結され固定されている（３）または（４）に記載の食品撹拌具。
（６）前記把持部が、扁平の支持部と、前記支持部の両面側に設けられた肉厚部により構成されているとともに、
前記撹拌部と、前記連携部と、前記支持部とが、一体成形されている上記（１）から（５）のいずれか一項に記載の食品撹拌具。
（７）前記食品撹拌具の全長が２５ｃｍ以上であり、
前記撹拌部の長手方向の寸法が５ｃｍ以上であり、
前記撹拌部の短手方向の寸法が３ｃｍ以上である上記（１）から（６）のいずれか一項に記載の食品撹拌具。
（８）前記把持部の全長と前記連携部の全長との比が、把持部全長：連携部全長＝１：０．５〜０．５：１の範囲である上記（１）から（７）のいずれか一項に記載の食品撹拌具。
（９）前記連携部は、平面視における先端基端方向の中間部において先端側および基端側に対し相対的に細幅のくびれ部を有する上記（１）から（８）のいずれか一項に記載の食品撹拌具。
（１０）上面視において、前記撹拌部、前記連携部、前記把持部が、Ｓ字状に湾曲しながら連続する上記（１）から（９）のいずれか一項に記載の食品撹拌具。